【手続補正書】
【提出日】平成26年11月11日(2014.11.11)
【手続補正１】
【補正対象書類名】特許請求の範囲
【補正対象項目名】全文
【補正方法】変更
【補正の内容】
【特許請求の範囲】
【請求項１】
管理サーバと、遊技者により遊技が行なわれる遊技媒体を循環させる循環経路を有する封入式遊技機と、遊技者所有の有価価値を使用して前記封入式遊技機による遊技を可能にする遊技用装置とを備えた遊技用システムであって、
前記遊技用装置は、
前記管理サーバと通信可能な第１の制御手段と、
前記封入式遊技機と通信可能な第２の制御手段とを含み、
前記管理サーバは、前記封入式遊技機の真正を確認するための遊技機識別情報と、前記第２の制御手段の真正を確認するための制御手段識別情報とを登録する識別情報登録手段を含み、
前記遊技用装置は、さらに、
前記遊技機識別情報および前記制御手段識別情報が前記管理サーバに登録済であるか否かを確認するための確認処理を行なう登録確認手段と、
前記第１の制御手段と前記第２の制御手段との間での認証処理を行なう相互認証処理手段と、
前記確認処理および前記認証処理の結果に基づいて前記封入式遊技機による遊技を許容する遊技許容手段とを含む、遊技用システム。
【請求項２】
第１の制御手段と第２の制御手段とを備え、遊技者所有の有価価値を使用して遊技媒体を循環させる循環経路を有する封入式遊技機による遊技を可能にする遊技用装置であって、
前記第１の制御手段は、前記封入式遊技機の真正を確認するための遊技機識別情報と、前記第２の制御手段の真正を確認するための制御手段識別情報とを登録する管理サーバと通信可能であり、
前記第２の制御手段は、前記封入式遊技機と通信可能であり、
前記遊技用装置は、さらに、
前記遊技機識別情報および前記制御手段識別情報が前記管理サーバに登録済であるか否かを確認するための確認処理を行なう登録確認手段と、
前記第１の制御手段と前記第２の制御手段との間での認証処理を行なう相互認証処理手段と、
前記確認処理および前記認証処理の結果に基づいて前記封入式遊技機による遊技を許容する遊技許容手段とを備えている、遊技用装置。
【手続補正２】
【補正対象書類名】明細書
【補正対象項目名】０００１
【補正方法】変更
【補正の内容】
【０００１】
本発明は、管理サーバと、遊技者により遊技が行なわれる遊技媒体を循環させる循環経路を有する封入式遊技機と、遊技者所有の有価価値を使用して前記封入式遊技機による遊技が可能にする遊技用装置とを備えた遊技用システム、および、前記遊技用装置に関する。
【手続補正３】
【補正対象書類名】明細書
【補正対象項目名】０００６
【補正方法】変更
【補正の内容】
【０００６】
（１）  本発明は、管理サーバ（上位サーバ８０１）と、遊技者により遊技が行なわれる遊技媒体を循環させる循環経路を有する封入式遊技機（パチンコ機２、スロットマシン２Ｓ）と、遊技者所有の有価価値を使用して前記封入式遊技機による遊技を可能にする遊技用装置（カードユニット３）とを備えた遊技用システムであって、
前記遊技用装置は、
前記管理サーバと通信可能な第１の制御手段（メイン制御部３２３）と、
前記封入式遊技機と通信可能な第２の制御手段（ＣＵ通信制御部８０）とを含み、
前記管理サーバは、前記封入式遊技機の真正を確認するための遊技機識別情報（メインチップＩＤ、払出チップＩＤ）と、前記第２の制御手段の真正を確認するための制御手段識別情報（ＣＵ通信制御部８０のＳＩＤである通信制御ＩＣ情報）とを登録する識別情報登録手段（認証情報記憶部）を含み、
前記遊技用装置は、さらに、
前記遊技機識別情報および前記制御手段識別情報が前記管理サーバに登録済であるか否かを確認するための確認処理を行なう登録確認手段（図７８、図７９の通信制御ＩＣ情報問合せと遊技機チップ情報問合せ）と、
前記第１の制御手段と前記第２の制御手段との間での認証処理を行なう相互認証処理手段（図７８、図７９のＣＵ通信制御部認証シーケンス）と、
前記確認処理および前記認証処理の結果に基づいて前記封入式遊技機による遊技を許容する遊技許容手段（図７８、図７９のカード挿入・入金可処理）とを含む。
【手続補正４】
【補正対象書類名】明細書
【補正対象項目名】０００７
【補正方法】変更
【補正の内容】
【０００７】
このような構成によれば、管理サーバが、遊技機識別情報ばかりでなく、遊技用装置に設けられている第２の制御手段の真正を確認するための制御手段識別情報をも登録しており、遊技機識別情報ばかりでなく制御手段識別情報が管理サーバに登録済であるか否かの確認処理を行なうとともに、遊技用装置に設けられた第１の制御手段と第２の制御手段との間での認証処理を行ない、それら確認処理および認証処理の結果に基づいて封入式遊技機による遊技を許容する制御を行なうために、遊技用装置自体への不正行為に基づいて遊技機識別情報の登録確認処理の結果の信憑性が低下する不都合を極力防止することができる。
【手続補正５】
【補正対象書類名】明細書
【補正対象項目名】００１２
【補正方法】変更
【補正の内容】
【００１２】
（４）  上記（１）〜（３）のいずれかの遊技用システムにおいて、前記遊技用装置は、
前記登録確認手段による確認処理が実行されたときの当該確認の対象である識別情報を記憶する識別情報記憶手段（図７８、図７９の通信制御ＩＣ情報の記憶処理と遊技機チップ情報の記憶処理）と、
識別情報が前記識別情報記憶手段に記憶された以降において、前記登録確認手段による確認処理を行なう際に前記管理サーバとオフライン状態であったときには、前記識別情報記憶手段に記憶されている識別情報と前記封入式遊技機の識別情報とを照合することによって確認処理を行なうオフライン時確認手段（オフライン時にメイン制御部３２３のＥＥＰＲＯＭに記憶した通信制御ＩＣ情報および遊技機チップ情報を認証用情報記憶部に記憶された通信制御ＩＣ情報および遊技機チップ情報と照合する）とを含む。
【手続補正６】
【補正対象書類名】明細書
【補正対象項目名】００１３
【補正方法】変更
【補正の内容】
【００１３】
このような構成によれば、登録確認手段による確認処理が実行されたときの当該確認の対象である識別情報が遊技用装置に記憶され、それ以降において、登録の確認処理を行なう際に管理サーバとオフライン状態であったときに、その遊技用装置に記憶されている識別情報と封入式遊技機の識別情報とが照合されてオフライン時の確認処理が可能となり、オフライン時におけるセキュリティの低下を極力防止することができる。
【手続補正７】
【補正対象書類名】明細書
【補正対象項目名】００１４
【補正方法】変更
【補正の内容】
【００１４】
（５）  本発明の他の態様は、第１の制御手段（メイン制御部３２３）と第２の制御手段（ＣＵ通信制御部８０）とを備え、遊技者所有の有価価値を使用して遊技媒体を循環させる循環経路を有する封入式遊技機による遊技を可能にする遊技用装置（カードユニット３）であって、
前記第１の制御手段は、前記封入式遊技機の真正を確認するための遊技機識別情報と、前記第２の制御手段の真正を確認するための制御手段識別情報とを登録する管理サーバ（上位サーバ８０１）と通信可能であり、
前記第２の制御手段は、前記封入式遊技機と通信可能であり（図４；ＣＵ通信制御部８０よＰ台通信制御部８１とが通信可能）、
前記遊技用装置は、さらに、
前記遊技機識別情報および前記制御手段識別情報が前記管理サーバに登録済であるか否かを確認するための確認処理を行なう登録確認手段（図７８、図７９の通信制御ＩＣ情報問合せと遊技機チップ情報問合せ）と、
前記第１の制御手段と前記第２の制御手段との間での認証処理を行なう相互認証処理手段（図７８、図７９のＣＵ通信制御部認証シーケンス）と、
前記確認処理および前記認証処理の結果に基づいて前記封入式遊技機による遊技を許容する遊技許容手段（図７８、図７９のカード挿入・入金可処理）とを備えている。
【手続補正８】
【補正対象書類名】明細書
【補正対象項目名】００１５
【補正方法】変更
【補正の内容】
【００１５】
このような構成によれば、管理サーバが、遊技機識別情報ばかりでなく、遊技用装置に設けられている第２の制御手段の真正を確認するための制御手段識別情報をも登録しており、遊技機識別情報ばかりでなく制御手段識別情報が管理サーバに登録済であるか否かの確認処理を行なうとともに、遊技用装置に設けられた第１の制御手段と第２の制御手段との間での認証処理を行ない、それら確認処理および認証処理の結果に基づいて封入式遊技機による遊技を許容する制御を行なうために、遊技用装置自体への不正行為に基づいて遊技機識別情報の登録確認処理の結果の信憑性が低下する不都合を極力防止することができる。
【手続補正９】
【補正対象書類名】明細書
【補正対象項目名】００２０
【補正方法】変更
【補正の内容】
【００２０】
（８）  上記（７）の遊技用装置において、前記登録確認手段による確認処理が実行されたときの当該確認の対象である識別情報を記憶する識別情報記憶手段（図８５、図８６の通信制御ＩＣ情報の記憶処理と遊技機チップ情報の記憶処理）と、
識別情報が前記識別情報記憶手段に記憶された以降において、前記登録確認手段による確認処理を行なう際に前記管理サーバとオフライン状態であったときには、前記識別情報記憶手段に記憶されている識別情報と前記封入式遊技機の識別情報とを照合することによって確認処理を行なうオフライン時確認手段（オフライン時にメイン制御部３２３のＥＥＰＲＯＭに記憶した通信制御ＩＣ情報および遊技機チップ情報を認証用情報記憶部に記憶された通信制御ＩＣ情報および遊技機チップ情報と照合する）とをさらに備える。
【手続補正１０】
【補正対象書類名】明細書
【補正対象項目名】００２１
【補正方法】変更
【補正の内容】
【００２１】
このような構成によれば、登録確認手段による確認処理が実行されたときの当該確認の対象である識別情報が遊技用装置に記憶され、それ以降において、登録の確認処理を行なう際に管理サーバとオフライン状態であったときに、その遊技用装置に記憶されている識別情報と封入式遊技機の識別情報とが照合されてオフライン時の確認処理が可能となり、オフライン時におけるセキュリティの低下を極力防止することができる。